(57)【要約】【課題】アークホーンの取り付け作業や取り外し作業を容易に行えると共に、さらに送電線の架設作業やメンテナンス作業を容易に行うことができる耐張がいし装置を提供する。【解決手段】鉄塔に支持されるがいし連４と、がいし連４にホーン取付金具３を介して接続されるヨークＹとを有し、このヨークＹに送電線側連結金具を介して接続される送電線を接続可能にした耐張がいし装置である。ホーン取付金具３においては、その側部にホーン取付部７を設けている。ヨークＹは、水平ヨーク１と、この水平ヨーク１に連設された一対の垂直ヨーク２、２とを備え、ホーン取付部７と垂直ヨーク２の側部との間に単一部材から成るロック工具Ｒが取り付け可能である。【選択図】図２
2008300062.tif 000002
【特許請求の範囲】
【請求項１】
鉄塔に支持されるがいし連（４）と、がいし連（４）にホーン取付金具（３）を介して接続されるヨーク（Ｙ）とを有し、このヨーク（Ｙ）に送電線側連結金具を介して接続される送電線を接続可能にした耐張がいし装置において、上記ホーン取付金具（３）においては、その側部にホーン取付部（７）を設けていることを特徴とする耐張がいし装置。
【請求項２】
上記ヨーク（Ｙ）は、ホーン取付金具（３）が接続される水平ヨーク（１）と、この水平ヨーク（１）に連設された一対の垂直ヨーク（２）（２）とを備え、ホーン取付部（７）と垂直ヨーク（２）の側部との間に単一部材から成るロック工具（Ｒ）が取り付け可能であることを特徴とする請求項１の耐張がいし装置。
【発明の詳細な説明】
【技術分野】
【０００１】
この発明は、耐張がいし装置に関するものであって、特に、送電線の架設作業やメンテナンス作業を容易に行うことのできる耐張がいし装置に係るものである。
【背景技術】
【０００２】
図８には、４導体用の耐張がいし装置の一部を示している。同図において、（ａ）は上面図、（ｂ）は正面図、（ｃ）はヨークの側面図である。この装置は、ヨークＹを有しているが、このヨークＹは、水平ヨーク５１と、この水平ヨーク５１に接続された左右一対の垂直ヨーク５２とによって構成されている。水平ヨーク５１には、ホーン取付金具５３、５３を介して、がいし連５４、５４が接続されている。これらがいし連５４は、図示しないが、鉄塔に接続、支持されている。また、各垂直ヨーク５２の上部と下部とには、それぞれ連結金具５５、５５を介して、図示しないが、バーニヤ金具、耐張クランプ、送電線が接続されるようになっている。そして、上記ホーン取付金具５３、５３には、アークホーン５６が取り付けられている。この従来例においては、アークホーン５６は、ホーン取付金具５３の裏面に設けたホーン取付部５７に取り付けられている。このような構成の耐張がいし装置の従来例としては、例えば、特許文献１を挙げることができる。
【特許文献１】実開昭５６−４３５２７号公報
【発明の開示】
【発明が解決しようとする課題】
【０００３】
ところで、上記耐張がいし装置においては、送電線の架設作業やメンテナンス作業時に、垂直ヨーク５２の上部と下部とに作用する張力のバランスが大きく崩れて垂直ヨーク５２に対して回転モーメントが作用した際に、垂直ヨーク５２の回動を防止する必要がある。そのため、このような作業を行う際には、図９（（ａ）は上面図、（ｂ）は正面図）に示すような、ロック工具Ｒを用いて垂直ヨーク５２を所定位置に止定するようにしている。すなわち、同図のように、ホーン取付金具５３の上面に座部６１を固定し、この座部６１に設けた固定孔と垂直ヨーク５２の上部に設けた固定孔とを利用してロッド６２を固定し、垂直ヨーク５２を止定するようにしている。このように、従来の耐張がいし装置では、垂直ヨーク５２を止定するのに２個の部材６１、６２を必要とし、各部材６１、６２の取り付け作業を必要とした。従って、それに応じて、送電線の架設作業やメンテナンス作業に多くの手数と費用とを要していた。
【０００４】
また、がいしを交換する際にも、図１０（（ａ）は上面図、（ｂ）は正面図）に示すようなアッタチメントＴを用いていた。すなわち、ホーン取付金具５３の上面に基板６３を取り付け、基板６３の両端部から一対のアーム６４、６４を延設し、アーム６４、６４の先端部で所定位置のがいしを固定し、固定されたがいしよりも基板６３側のがいしを交換するのである。この場合の作業、及びアークホーンの取り付け、取り外し作業は全て、足場の悪い高所において、垂直ヨーク５２の上側からの作業となる。従って、各作業が行い易いとはいい難い状態である。
【０００５】
この発明は上記した従来の欠点を解消するためになされたものであって、その目的は、アークホーンの取り付け作業や取り外し作業を容易に行えると共に、さらに送電線の架設作業やメンテナンス作業を容易に行うことができる耐張がいし装置を提供することにある。
【課題を解決するための手段】
【０００６】
そこでこの発明の耐張がいし装置は、鉄塔に支持されるがいし連４と、がいし連４にホーン取付金具３を介して接続されるヨークＹとを有し、このヨークＹに送電線側連結金具を介して接続される送電線を接続可能にした耐張がいし装置において、上記ホーン取付金具３においては、その側部にホーン取付部７を設けていることを特徴としている。
【０００７】
また、この発明の耐張がいし装置は、上記ヨークＹは、ホーン取付金具３が接続される水平ヨーク１と、この水平ヨーク１に連設された一対の垂直ヨーク２、２とを備え、ホーン取付部７と垂直ヨーク２の側部との間に単一部材から成るロック工具Ｒが取り付け可能であることを特徴とする。
【発明の効果】
【０００８】
この発明の耐張がいし装置によれば、耐張装置の側面側からアークホーンの取り付け、取り外しが可能であるので、その作業を容易化できる。また、ホーン取付部と垂直ヨーク側部との間に単一部材から成るロック工具が取り付け可能であることから、垂直ヨークの止定作業が容易に行え、そのため、送電線の架設作業やメンテナンス作業を容易に行うことができる。
【発明を実施するための最良の形態】
【０００９】
次にこの発明の耐張がいし装置の具体的な実施の形態について、図面を参照しつつ詳細に説明する。図１には、４導体用の耐張がいし装置の一部を示している。同図において、（ａ）は上面図、（ｂ）は正面図、（ｃ）はヨークの側面図である。この装置は、ヨークＹを有しているが、このヨークＹは、水平ヨーク１と、この水平ヨーク１に接続された左右一対の垂直ヨーク２とによって構成されている。水平ヨーク１には、ホーン取付金具３、３を介して、がいし連４、４が接続されている。これらがいし連４は、図示しないが、鉄塔に接続、支持されている。また、各垂直ヨーク２の上部と下部とには、それぞれ連結金具５、５を介して、図示しないが、バーニヤ金具、耐張クランプ、送電線が接続されるようになっている。そして、上記ホーン取付金具３、３には、アークホーン６が取り付けられている。この実施形態において特徴的なことは、図１に示しているように、ホーン取付部７が、ホーン取付金具の側部（一対のホーン取付金具３、３の相対向する側面）に形成されていることである。
【００１０】
上記耐張がいし装置においては、送電線の架設作業やメンテナンス作業時に、垂直ヨーク２の回動を防止するため、図２（（ａ）は上面図、（ｂ）は正面図）に示すような、ロック工具Ｒを用いて垂直ヨーク２を所定位置に止定する。すなわち、同図のように、ホーン取付金具３の側部に設けた固定孔（ホーン取付孔と兼用の孔（図１において３ａで示す））と垂直ヨーク２の上部に設けた固定孔２ａとを利用してロック工具Ｒを固定し、垂直ヨーク２を止定するようにしている。この場合、ロック工具Ｒは、ホーン取付金具３に近い位置を下方に「く」の字状に折り曲げた単一の部材で構成できる。そのため、この耐張がいし装置では、垂直ヨーク２を止定するのに単一部材からなるロック工具Ｒを用いればよく、また、ロック工具Ｒの取り付けも容易化できる。従って、送電線の架設作業やメンテナンス作業に要する手数と費用とを低減できる。
【００１１】
図３には、４導体用の耐張がいし装置の他の実施形態を示している。同図において、（ａ）は上面図、（ｂ）は正面図、（ｃ）はヨークの側面図である。この装置は、ヨークＹを有しているが、このヨークＹは、水平ヨーク１と、この水平ヨーク１に接続された左右一対の垂直ヨーク２とによって構成されている。水平ヨーク１には、ホーン取付金具３、３を介して、がいし連４、４が接続されている。これらがいし連４は、図４（（ａ）は上面図、（ｂ）は正面図）に示すように、鉄塔側取付金具１１に接続されており、この鉄塔側取付金具１１が、図示しないが、鉄塔に接続、支持されている。また、各垂直ヨーク２の上部と下部とには、それぞれ連結金具５、５を介して、図４に示すように、バーニヤ金具１２、耐張クランプ１３、送電線（図示せず）が接続されるようになっている。そして、上記ホーン取付金具３、３には、アークホーン６が取り付けられている。この実施形態においてもホーン取付部７は、ホーン取付金具の側部（側面）に形成されている。なお、図３において、８は、ジャンパ装置の取付部である。
【００１２】
上記実施形態の耐張がいし装置において、がいしを交換する際には、図５（（ａ）は上面図、（ｂ）は正面図）に示すようなアッタチメントＴを用いる。すなわち、ホーン取付金具３のホーン取付部７に基板１５を取り付け、基板１５の両端部から一対のアーム１６、１６を延設し、アーム１６、１６の先端部で所定位置のがいしを固定し、固定されたがいしよりも基板１５側のがいしを交換するのである。この場合の作業、及びアークホーン６の取り付け、取り外し作業は、垂直ヨーク２の側面側から作業を行えることになる。従って、各作業を容易に行えることになる。
【００１３】
図６及び図７には、耐張がいし装置のさらに他の変更例を示している。図６及び図７において、（ａ）は上面図、（ｂ）は正面図、（ｃ）はヨークの側面図である。図６に示すものは、水平ヨーク１と垂直ヨーク２とを有し、さらに、垂直ヨーク２の上下両端部にさらに水平部材２ａ、２ａを架設した構造のヨークＹを用いた実施形態のものである。ホーン取付金具３は、水平ヨーク１の両端部に接続されている。図７は、一対の水平ヨーク１、１と一対の垂直ヨーク２、２とによる箱形構造のヨークＹを用いた実施形態のものである。この場合、ホーン取付金具３は、垂直ヨーク２の両側中間部に接続されている。いずれの実施形態においても、ホーン取付部７は、ホーン取付金具３の側面（垂直面）に形成されており、そのためこれら実施形態においても、上記各実施形態と同様な作用効果が得られる。なお、図６、図７において、上記各実施形態と同一機能の部分には、同一の符号を付し、その説明を省略している。
【図面の簡単な説明】
【００１４】
【図１】本発明の一実施の形態である耐張がいし装置を示す図で、（ａ）は上面図、（ｂ）は正面図、（ｃ）はヨークの側面図である。
【図２】上記耐張がいし装置において垂直ヨークを止定する状態を示す図で、（ａ）は上面図、（ｂ）は正面図である。
【図３】耐張がいし装置の他の実施形態を示す図で、（ａ）は上面図、（ｂ）は正面図、（ｃ）はヨークの側面図である。
【図４】上記耐張がいし装置の略全体を示す図で、（ａ）は上面図、（ｂ）は正面図である。
【図５】上記耐張がいし装置において、がいし交換作業時の状態を示す図で、（ａ）は上面図、（ｂ）は正面図である。
【図６】耐張がいし装置の他の実施形態を示す図で、上記耐張がいし装置において、がいし交換作業時の状態を示す図で、（ａ）は上面図、（ｂ）は正面図、（ｃ）はヨークの側面図である。
【図７】耐張がいし装置のさらに他の実施形態を示す図で、上記耐張がいし装置において、がいし交換作業時の状態を示す図で、（ａ）は上面図、（ｂ）は正面図、（ｃ）はヨークの側面図である。
【図８】従来の耐張がいし装置を示す図で、（ａ）は上面図、（ｂ）は正面図、（ｃ）はヨークの側面図である。
【図９】従来の耐張がいし装置において垂直ヨークを止定する状態を示す図で、（ａ）は上面図、（ｂ）は正面図である。
【図１０】従来の耐張がいし装置において、がいし交換作業時の状態を示す図で、（ａ）は上面図、（ｂ）は正面図である。
【符号の説明】
【００１５】
１・・水平ヨーク、２・・垂直ヨーク、３・・ホーン取付金具、４・・がいし連、６・・連結金具、６・・アークホーン、７・・ホーン取付、Ｒ・・ロック工具、Ｙ・・ヨーク
【図１】
2008300062.tif 000003
【図２】
2008300062.tif 000004
【図３】
2008300062.tif 000005
【図４】
2008300062.tif 000006
【図５】
2008300062.tif 000007
【図６】
2008300062.tif 000008
【図７】
2008300062.tif 000009
【図８】
2008300062.tif 000010
【図９】
2008300062.tif 000011
【図１０】
2008300062.tif 000012